(57)【要約】      （修正有）【課題】印刷時に、媒体を適切に固定することができる印刷装置を提供する。【解決手段】印刷装置１は、繰り出しローラ１１と、繰り出しローラ１１から供給された布帛Ｍに印刷を行う印刷部２０と、当該印刷部２０に布帛Ｍを搬送する搬送部２４とを有する印刷装置１に於いて、搬送部２４には、布帛Ｍを挟持して布帛Ｍの搬送に伴って回転する押圧ローラ２５を有し、押圧ローラ２５と繰り出しローラ１１との間に配設され、布帛Ｍに作用して搬送部２４による布帛Ｍの搬送力に抗する力を発生させることによって押圧ローラ２５との間の布帛Ｍに張力をかけるブレーキローラ１３とを備える。そして、ブレーキローラ１３と繰り出しローラ１１との間の布帛Ｍには、ブレーキローラ１３と押圧ローラ２５との間の布帛Ｍにかかる張力より小さい張力がかかる。【選択図】図１
2018187809.tif 000002
【特許請求の範囲】
【請求項１】
媒体が巻き回されたロールから前記媒体を繰り出して供給する繰り出しローラと、
前記繰り出しローラから供給された媒体に印刷を行う印刷部と、
当該印刷部に前記媒体を搬送する搬送部と、を有する印刷装置に於いて、
前記搬送部には、前記媒体を挟持して当該媒体の搬送に伴って回転する回転ローラを有し、
前記回転ローラと前記繰り出しローラとの間に配設され、前記媒体に作用して前記搬送部による前記媒体の搬送力に抗する力を発生させるブレーキ手段と、
を備え、
前記ブレーキ手段と前記繰り出しローラとの間の媒体には、前記ブレーキ手段と前記回転ローラとの間の媒体にかかる張力より小さい張力がかかることを特徴とする印刷装置。
【請求項２】
前記搬送部は、前記媒体としての布帛を搬送する搬送部である請求項１に記載の印刷装置。
【請求項３】
前記搬送部はベルトを有し、
前記回転ローラと前記ベルトとの間に前記媒体を挟持することにより、前記媒体を前記ベルトの表面に貼着して搬送する請求項１または２に記載の印刷装置。
【請求項４】
前記回転ローラは前記ベルトによる媒体の搬送によって回転させられる請求項３に記載の印刷装置。
【請求項５】
前記ブレーキ手段は、前記繰り出しローラから前記回転ローラまでの間の媒体の長さの２分の１よりも前記回転ローラに近い側に設けられている請求項１乃至４のいずれかに記載の印刷装置。
【請求項６】
前記繰り出しローラと前記ブレーキ手段との間に、前記繰り出しローラより繰り出した前記媒体に張力をかけるテンションバーを備える請求項１乃至５のいずれかに記載の印刷装置。
【請求項７】
前記ブレーキ手段は、所定の回転抵抗を有するローラである請求項１乃至６のいずれかに記載の印刷装置。
【請求項８】
前記ブレーキ手段は、前記ローラと協働して媒体を挟み込む第２のローラを備える請求項７に記載の印刷装置。
【請求項９】
前記ローラは、前記媒体の搬送に伴って回転する請求項７または８に記載の印刷装置。
【請求項１０】
前記ブレーキ手段は、所定の摩擦力を有するピンである請求項１乃至６のいずれかに記載の印刷装置。
【発明の詳細な説明】
【技術分野】
【０００１】
本発明は、印刷装置に関する。
【背景技術】
【０００２】
布等のシート状の媒体に印刷を行う印刷装置が知られている。このような印刷装置では、媒体供給部に、シート状の媒体が巻かれたロールがセットされる。ロールから繰り出された媒体を搬送機構によって搬送し、プラテンの印字面上に送る。印刷装置は、印字面上で媒体に印刷を行った後、搬送機構によって媒体を巻取部に搬送し、巻取部にて巻き取る。
【０００３】
特許文献１に記載された印刷装置は、無端ベルトを有する搬送部を有し、無端ベルトによって搬送されている媒体に印刷を施す。また、搬送方向の上流には、媒体を無端ベルトに押し付ける押圧ローラを備えている。この押圧ローラによって媒体を無端ベルトに押し付けることにより、媒体は、無端ベルトの表面に形成された粘着層に粘着固定される。
【先行技術文献】
【特許文献】
【０００４】
【特許文献１】特開２０１６−１８５６１１号公報
【発明の概要】
【発明が解決しようとする課題】
【０００５】
特許文献１に記載された印刷装置では、押圧ローラと無端ベルト上で媒体を支持する支持板との間に、媒体を無端ベルトに対して押し付ける第２の押圧ローラを備えている。この構成によって媒体を無端ベルトに押し付ける際に、無端ベルトの張力の変化を防止または抑制することができる。
【０００６】
しかし、特許文献１では、媒体にかかる張力については検討がなされていない。媒体に張力がかかると、媒体の種類によっては媒体に伸びが生じたり、その伸びに起因する損傷が発生することがある。また、押圧ローラによって媒体を押圧する際にかかる張力が異なると、一定の押圧力で媒体を押圧しても、媒体の固定のされ方に違いが出てくる可能性がある。
【０００７】
本発明は、上記背景に鑑み、搬送される媒体に大きい張力がかかる区間を小さくした印刷装置を提供することを目的とする。
【課題を解決するための手段】
【０００８】
本発明の印刷装置は、媒体が巻き回されたロールから前記媒体を繰り出して供給する繰り出しローラと、前記繰り出しローラから供給された媒体に印刷を行う印刷部と、当該印刷部に前記媒体を搬送する搬送部とを有する印刷装置に於いて、前記搬送部には、前記媒体を挟持して当該媒体の搬送に伴って回転する回転ローラを有し、前記回転ローラと前記繰り出しローラとの間に配設され、前記媒体に作用して前記搬送部による前記媒体の搬送力に抗する力を発生させるブレーキ手段とを備え、前記ブレーキ手段と前記繰り出しローラとの間の媒体には、前記ブレーキ手段と前記回転ローラとの間の媒体にかかる張力より小さい張力がかかる。このようにブレーキ手段によって、媒体の搬送力に抗する力を与えることにより、ブレーキ手段から上流にかかる張力を小さくして、媒体の伸びに起因する損傷を低減させることができる。
【０００９】
本発明の印刷装置において、前記搬送部は、前記媒体としての布帛を搬送する搬送部であってもよい。一般的に、媒体が布帛である場合には、媒体にかかる張力が大きいが、本発明によれば、ブレーキ手段から上流において布帛にかかる張力を低減できる効果が大きい。
【００１０】
本発明の印刷装置において、前記搬送部はベルトを有し、前記回転ローラと前記ベルトとの間に前記媒体を挟持することにより、前記媒体を前記ベルトの表面に貼着して搬送してもよい。ベルトの表面に貼着して搬送する搬送部は、媒体に大きい張力がかかることがあるが、本発明によれば、ブレーキ手段から上流において布帛にかかる張力を低減できる。
【００１１】
本発明の印刷装置は、前記回転ローラは前記ベルトによる媒体の搬送によって回転させられてもよい。この構成により、回転ローラが回転しながら、媒体をベルトに適切に貼着させることができる。
【００１２】
本発明の印刷装置において、前記ブレーキ手段は、前記繰り出しローラから前記回転ローラまでの間の媒体の長さの２分の１よりも前記回転ローラに近い側に設けられていてもよい。この構成により、ブレーキ手段から回転ローラまでの距離を短くすることにより、その間における張力変動を抑制できる。
【００１３】
本発明の印刷装置は、前記繰り出しローラと前記ブレーキ手段との間に、前記繰り出しローラより繰り出した前記媒体に張力をかけるテンションバーを備えてもよい。この構成により、繰り出しローラとブレーキ手段との間を搬送される媒体の状態を適切に保つことができる。
【００１４】
本発明の印刷装置において、前記ブレーキ手段は、所定の回転抵抗を有するローラであってもよい。この構成により、回転抵抗が制動力として媒体に作用する。
【００１５】
本発明の印刷装置において、前記ブレーキ手段は、前記ローラと協働して媒体を挟み込む第２のローラを備えてもよい。この構成により、ローラの摩擦力を高めて、回転抵抗を媒体に伝えやすくできる。
【００１６】
本発明の印刷装置において、前記ローラは、前記媒体の搬送に伴って回転する構成であってもよい。この構成により、媒体の表面を傷めないで、媒体を制動することができる。
【００１７】
本発明の印刷装置において、前記ブレーキ手段は、所定の摩擦力を有するピンであってもよい。この構成により、摩擦力が制動力として媒体に作用する。
【発明の効果】
【００１８】
本発明によれば、搬送される媒体に大きい張力がかかる区間を小さくし、媒体の伸びに起因する損傷を低減させることができる。
【図面の簡単な説明】
【００１９】
【図１】本実施の形態の印刷装置の全体構成を示す図である。
【図２】ブレーキローラの構成を説明する拡大図である。
【図３】ピンの構成を説明する拡大図である。
【発明を実施するための形態】
【００２０】
以下、本発明の実施の形態の印刷装置について図面を参照して説明する。以下に説明する実施の形態では、印刷対象の媒体として布帛を取り上げるが、本発明の印刷対象は布帛に限定されるものではない。本発明は、連続的な媒体の印刷に適用することができ、例えば、連続紙の印刷に適用できる。
【００２１】
（第１の実施の形態）
図１は、本実施の形態の印刷装置１の構成を示す図である。本実施の形態の印刷装置１は、媒体として布帛Ｍを印刷する装置である。印刷装置１は、大きく分けて、布帛Ｍを供給する布帛供給部１０と、布帛Ｍに印刷をする印刷部２０と、印刷された布帛Ｍを巻き取る巻取部３０と有している。
【００２２】
布帛供給部１０は、印刷媒体である布帛Ｍが巻かれたロールをセットした繰り出しローラ１１と、布帛Ｍを印刷部２０へと案内する複数のガイドローラ１４と、布帛Ｍに一定のテンションを与えるテンションバー１２と、布帛供給部１０側の経路でかかるテンションの影響を印刷部２０に及ぼさないようにするためのブレーキローラ１３とを備えている。ブレーキローラ１３は、本発明の「ブレーキ手段」に相当する。
【００２３】
繰り出しローラ１１は、間欠的に回転し、布帛Ｍを繰り出す。テンションバー１２は、布帛Ｍが下流側に流れるにつれて上に上がる。テンションバー１２は、繰り出しローラ１１を繰り出すタイミングを決定する役割を有しており、一定の高さまで上がったところで、布帛Ｍを繰り出すように繰り出しローラ１１に指示を出す。この指示にしたがって、繰り出しローラ１１が一定量回転して布帛Ｍが繰り出され、テンションバー１２は下に下がる。
【００２４】
布帛Ｍは、下流にある印刷部２０から引っ張り力を受けているため、張力によって伸びが生じ、布帛が損傷する可能性がある。印刷部２０から繰り出しローラ１１までの距離が長いと、張力による布帛Ｍの伸びが発生する区間が長い。本実施の形態の印刷装置１においては、ブレーキローラ１３によって大きな張力がかかる区間を繰り出しローラ１１から印刷部２０までの区間の一部に限定している。ブレーキローラ１３については、後述する。
【００２５】
印刷部２０は、布帛Ｍにインクを塗布するインクジェットヘッド２１と、インクジェットヘッド２１による印刷領域において布帛Ｍを搬送する搬送部２４とを有している。搬送部２４は、印刷部２０にて印刷される布帛Ｍを、インクジェットヘッド２１に対向した状態で支持しつつ搬送する構成を有している。
【００２６】
搬送部２４は、２本の回転軸２２にベルト２３が架け渡されて構成されている。２本の回転軸２２のうち、下流側の回転軸２２はベルト２３を回転させる駆動力を与える主動ローラ２２ａであり、上流側の回転軸２２は、ベルト２３の回転に従って回転する従動ローラ２２ｂである。本実施の形態では、下流に主動ローラ２２ａを配置しているが、上流に主動ローラ２２ａを配置し、下流に従動ローラ２２ｂを配置してもよい。
【００２７】
ベルト２３の表面には地張り剤が塗布されている。搬送部２４の従動ローラ２２ｂにベルト２３を挟んで対向する位置に押圧ローラ２５を備えている。押圧ローラ２５は、本発明の「回転ローラ」に相当する。押圧ローラ２５とベルト２３によって布帛Ｍを挟持して、布帛Ｍをベルト２３に押し付けることにより、布帛Ｍはベルト２３の表面に貼り付いて固定される。印刷時に布帛Ｍが固定されるので、布帛Ｍに適切に印刷を行える。
【００２８】
印刷後の布帛Ｍは、ガイドローラ３２および複数のガイドローラ３３に案内されて巻取部３０へと案内され、巻き取りローラ３１に巻き取られる。以上に、本実施の形態の印刷装置１の全体構成について説明した。
【００２９】
図２は、ブレーキローラ１３の周辺の構成を拡大して示した図である。ブレーキローラ１３は、一対のローラ１３ａ，１３ｂからなっている。上側のローラ１３ｂは上下に移動可能であり、布帛Ｍを印刷装置１にセットする際には、上側に移動しておき、印刷装置１にて印刷を行う際には下側に移動して布帛Ｍを挟み込む。
【００３０】
ローラ１３ａには、図示しないスリップテープが巻かれている。ローラ１３ａとローラ１３ｂで布帛Ｍを挟持することにより、ローラ１３ａと布帛Ｍとの間で滑りが生じないようにされている。したがって、布帛Ｍが矢印Ｆに示すように搬送方向下流に流れて一対のローラ１３ａ、１３ｂの間を通過すると、布帛Ｍの搬送によってローラ１３ａが回転する。ローラ１３ａには、エアブレーキによって回転抵抗が付与されているため、ローラ１３ａの回転抵抗が布帛Ｍに対する制動力として働く。
【００３１】
ブレーキローラ１３は、押圧ローラ２５の上流に配置されるが、その場所は、なるべく押圧ローラ２５に近い方が良い。本実施の形態では、ブレーキローラ１３は、繰り出しローラ１１から押圧ローラ２５までの間の媒体の長さの２分の１よりも押圧ローラ２５に近い側に設けられている。好ましくは、ブレーキローラ１３は押圧ローラ２５の直前に配置するのがよく、具体的には、ブレーキローラ１３と押圧ローラ２５との距離は布帛Ｍの幅より短い距離とする。このような距離に設定することにより、布帛Ｍの伸びが発生し得る区間を短くして、布帛Ｍの損傷の発生を抑えることができる。
【００３２】
ブレーキローラ１３の上流では、布帛Ｍにかかる張力がなるべく小さくなるように構成する。ブレーキローラ１３と押圧ローラ２５との間で張力をかけるので、ブレーキローラ１３より上流においては、実質的に張力がかかっていなくてもよい。ただし、張力がゼロだと、布帛Ｍの搬送に不具合が生じ、場合によっては、弛んだ布帛Ｍの搬送を再開するとき等にシワができてしまう可能性がある。したがって、ブレーキローラ１３の上流においては、搬送に不具合が生じない程度の張力をかけておくことが望ましい。
【００３３】
（第２の実施の形態）
次に、本発明の第２の実施の形態の印刷装置について説明する。第２の実施の形態の印刷装置の基本的な構成は、第１の実施の形態の印刷装置１と同じであるが、布帛Ｍが下流に流れることを制動するための構成が、第１の実施の形態の印刷装置では布帛Ｍを挟持する構成であったのに対し、第２の実施の形態の印刷装置では布帛Ｍをかけるピン１５である点が異なる。
【００３４】
図３は、本発明のブレーキ手段に相当するピン１５の周辺の構成を拡大して示した図である。図３に示すように、第２の実施の形態の印刷装置は、第１の実施の形態の印刷装置１のブレーキローラ１３に代えて、ピン１５を備えている。ピン１５の先端部分１５ａは所定の表面粗さを有している。布帛Ｍは、ピン１５の先端部分１５ａに架けられる。
【００３５】
布帛Ｍが矢印Ｆに示すように搬送方向下流に流れてピン１５の先端部分１５ａを通過すると、布帛Ｍと先端部分１５ａとの間に動摩擦力が生じる。動摩擦力が布帛Ｍに対する制動力として働く。布帛Ｍに作用させる動摩擦力の大きさは、ピン１５の先端部分１５ａの表面粗さや、ピン１５にかかる布帛Ｍの角度によって変更することができる。
【００３６】
以上、本発明の実施の形態の印刷装置について説明したが、本発明の印刷装置は上記した実施の形態に限定されるものではなく、様々な変形が可能である。例えば、搬送方向への布帛Ｍの流れに抗する力を与える構成としては、一定の粘着力を有する部材を布帛Ｍに接触させる構成を採用することも可能である。
【００３７】
上記した実施の形態においては、搬送部２４は、ベルト２３がかけられた回転軸のうち、主動ローラ２２ａが回転することによって搬送力を生み出していた。しかし、ベルト２３がかけられて回転軸をいずれも従動ローラとし、押圧ローラ２５に回転力を与えることによって媒体を搬送する構成としてもよい。
【００３８】
上記した実施の形態においては、搬送部２４としてベルト２３を有する構成を備える例を挙げたが、搬送部２４は必ずしもベルト２３を有しなくてもよく、例えば、送りローラと複数のピンチローラの組み合わせによって構成してもよい。
【００３９】
（実施の形態の効果）
（１）本実施の形態の印刷装置１は、繰り出しローラ１１と、繰り出しローラ１１から供給された布帛Ｍに印刷を行う印刷部２０と、当該印刷部２０に布帛Ｍを搬送する搬送部２４とを有する印刷装置１に於いて、搬送部２４には、布帛Ｍを挟持して布帛Ｍの搬送に伴って回転する押圧ローラ２５を有し、押圧ローラ２５と繰り出しローラ１１との間に配設され、布帛Ｍに作用して搬送部２４による布帛Ｍの搬送力に抗する力を発生させることによって押圧ローラ２５との間の布帛Ｍに張力をかけるブレーキローラ１３とを備える。そして、ブレーキローラ１３と繰り出しローラ１１との間の布帛Ｍには、ブレーキローラ１３と押圧ローラ２５との間の布帛Ｍにかかる張力より小さい張力がかかる。このようにブレーキローラ１３によって、布帛Ｍの搬送力に抗する力を与えることにより、ブレーキローラ１３から上流にかかる張力を小さくして、布帛Ｍの伸びによる損傷を低減させることができる。
【００４０】
（２）本実施の形態の印刷装置１において、搬送部２４は、布帛を搬送する搬送部２４である。一般的に、媒体が布帛Ｍである場合には、布帛Ｍにかかる張力が大きいが、本実施の形態によれば、ブレーキローラ１３から上流において布帛Ｍにかかる張力を低減できる効果が大きい。
【００４１】
（３）本実施の形態の印刷装置１において、搬送部２４はベルト２３を備え、押圧ローラ２５とベルト２３との間に布帛Ｍを挟持することにより、布帛Ｍをベルト２３の表面に貼着して搬送する。ベルト２３の表面に貼着して搬送する搬送部２４は、布帛Ｍに大きい張力がかかることがあるが、本実施の形態によれば、ブレーキローラ１３から上流において布帛Ｍにかかる張力を低減できる。
【００４２】
（４）本実施の形態の印刷装置１は、押圧ローラ２５はベルト２３による布帛Ｍの搬送によって回転させられる。この構成により、押圧ローラ２５が回転しながら、布帛Ｍをベルト２３に適切に貼着させることができる。
【００４３】
（５）本実施の形態の印刷装置１において、ブレーキローラ１３は、繰り出しローラ１１から押圧ローラ２５までの間の布帛Ｍの長さの２分の１よりも押圧ローラ２５に近い側に設けられている。この構成により、ブレーキローラ１３から押圧ローラ２５までの距離を短くすることにより、その間における張力変動を抑制できる。
【００４４】
（６）本実施の形態の印刷装置１は、繰り出しローラ１１とブレーキローラ１３との間に、繰り出しローラ１１より繰り出した布帛Ｍに張力をかけるテンションバー１２を備えている。この構成により、繰り出しローラ１１とブレーキローラ１３との間を搬送される布帛Ｍの状態を適切に保つことができる。
【００４５】
（７）本実施の形態の印刷装置１において、ブレーキローラ１３は、所定の回転抵抗を有する一対のローラ１３ａ，１３ｂである。この構成により、回転抵抗が制動力として布帛Ｍに作用する。
【００４６】
（８）本実施の形態の印刷装置１において、ブレーキローラ１３は、一対のローラ１３ａ，１３ｂが協働して布帛Ｍを挟み込む。この構成により、ブレーキローラ１３に作用する摩擦力を高めて、回転抵抗を布帛Ｍに伝えやすくできる。
【００４７】
（９）本実施の形態の印刷装置１において、ブレーキローラ１３は、布帛Ｍの搬送に伴って回転する構成であってもよい。この構成により、布帛Ｍの表面を傷めないで、布帛Ｍを制動することができる。
【００４８】
（１０）第２の実施の形態の印刷装置において、ブレーキ手段は、所定の摩擦力を有するピン１５である。この構成により、摩擦力が制動力として布帛Ｍに作用する。
【符号の説明】
【００４９】
１  印刷装置
１０  布帛供給部
１１  繰り出しローラ
１２  テンションバー
１３  ブレーキローラ（ブレーキ手段）
１３ａ  ローラ
１３ｂ  ローラ（第２のローラ）
１４  ガイドローラ
１５  ピン（ブレーキ手段）
１５ａ  先端部
２０  印刷部
２１  インクジェットヘッド
２２  回転軸
２２ａ  主動ローラ
２２ｂ  従動ローラ
２３  ベルト
２４  搬送部
２５  押圧ローラ（回転ローラ）
３０  巻取部
３１  巻き取りローラ
３２，３３  ガイドローラ
【図１】
2018187809.tif 000003
【図２】
2018187809.tif 000004
【図３】
2018187809.tif 000005